(57)【特許請求の範囲】
【請求項１】
フォールトトレラント・ディジタル形式で符号化され、カード表面に隠顕インクで印刷されたデータを読み取る装置であって、
ａ）  画像を取り込む手段と；
ｂ）  前記表面上の前記符号化フォールトトレラント・ディジタル形式の前記データを走査する走査手段と；
ｃ）  前記走査データを処理し、前記データを復号化する手段と；
ｄ)  前記復号化されたデータに応じて前記取り込まれた画像を変化させ、前記変化した画像を使用できる出力装置に、前記変化した画像を出力する手段と；を備え、
ｅ)  前記出力装置は前記変化した画像を人が見ることのできる形式で提示している、
装置。
【請求項２】
前記データが、リード・ソロモンプロセスを用いてフォールトトレラント・ディジタル形式で符号化され、前記データを処理して復号化する前記手段が、前記リード・ソロモンプロセスを処理する手段を含む、請求項１に記載の装置。
【請求項３】
前記出力装置が、表示装置を含む、請求項２に記載の装置。
【請求項４】
前記隠顕インクが、可視スペクトルにおける吸収が無視できる赤外線吸収インクである、請求項１に記載の装置。
【発明の詳細な説明】
【０００１】
【発明の分野】
本発明は、インクジェット印刷システムを用い印刷媒体にフォールトトレラントな符号化形式で、赤外線インクで印刷されたディジタルデータを再生するユーザインタフェース・システムに関する。特に、データは、人が読める表示と同じ表面、例えば符号化データと関係のある画像面において符号化されていてよい。
【０００２】
【同時係属出願】
本発明に関連する様々な方法、システム及び装置が、本発明の出願人又は譲受人によって本出願と同時に提出された以下の同時係属出願に開示されている：
【表１】
0003718197.tif 000002
【０００３】
これら同時係属出願の開示を、本願に引用して援用する。
【０００４】
本発明に関連する様々な方法、システム及び装置が、本発明の出願人又は譲受人によって１９９８年７月１０日に提出された以下の同時係属出願に開示されている：
米国出願番号０９/１１３，０７０
米国出願番号０９/１１２、７８５
これら同時係属出願の開示を、本願に引用して援用する。
【０００５】
本発明に関連する様々な方法、システム及び装置が、本発明の出願人又は譲受人によって２０００年６月３０日に提出された以下の同時係属出願に開示されている：
ＰＣＴ／ＡＵ００／００７４３、ＰＣＴ／ＡＵ００／００７４４、ＰＣＴ／ＡＵ００／００７４５、ＰＣＴ／ＡＵ００／００７４６、ＰＣＴ／ＡＵ００／００７４７及びＰＣＴ／ＡＵ００／００７４８
これら同時係属出願の開示を、本願に引用して援用する。
【０００６】
【発明の背景】
本出願人は、係属中の米国出願番号０９/１１３，０７０及び米国出願番号０９/１１２、７８５において、印刷カード裏面に、情報が白背景に黒インクで符号化され、カード表面に画像が担持されるアートカードと呼ばれるカードを開示している。記録できるデータはディジタル記録される本の内容であり、本のカバーに相当する、画像を担持する表面を持っている、とすることができる。
【０００７】
このような先行技術において、カード表面への画像印刷とカード裏面へのディジタルデータ印刷とを同時に行うためには、プリントヘッドが２個必要となる。カードを読むには、カードを光学走査手段に通し、フォールトトレラントな符号化データを再構築及び復号化し、音声又は視覚性出力としてユーザに提供する。
【０００８】
【発明の概要】
本発明では、画像を同時に担持する表面に、赤外線インクで、フォールトトレラント形式で符号化されたデータを読み取るユーザインタフェースが提供される。
【０００９】
本発明の目的は、画像を担持するカード表面に、フォールトトレラント・ディジタル形式で符号化され、隠顕インクで印刷されたデータを読み取る装置を提供することであり、その装置は：
a)  前記表面上の前記符号化フォールトトレラント・ディジタル形式の前記データを赤外線で走査する走査手段と；
b)  前記走査データを処理し、前記データを二次ディジタルフォーマットに復号化する手段と；
c)  前記二次ディジタルフォーマットのデータを、前記二次ディジタルフォーマットを使用可能な出力装置に出力する手段と；
d）  前記出力装置は前記データを人が読める形式で提示することと；
を備える。
【００１０】
好ましくは、隠顕インクは可視スペクトルの吸収が無視できる赤外線（ＩＲ）吸収インクでよい。
【００１１】
データは、圧縮後、リード・ソロモン符号化プロセスを用いてカード上に符号化されるのが好ましい。これにより、データが記録される（画像符号化形式で）印刷媒体が最大３０％損傷していても、データ再生が可能となる。カードは、例えば、ここに挙げた同時係属出願であるＰＣＴ／ＡＵ０１／０１３１７（整理番号ＡＲＴ８０）、ＰＣＴ／ＡＵ０１／０１３２８（整理番号ＡＲＴ８１）及びＰＣＴ／ＡＵ０１／０１３２６（整理番号ＡＲＴ８２）に開示するような、およそ４”×６”（１０２ｍｍ×１５２ｍｍ）の写真サイズの、標準カードでよい。また、カードとしては、印刷媒体に記録された、あるいは記録されるべきデータの量に応じ、同一幅だがより短い、又はより長い他のフォーマットも可能であると思われる。
【００１２】
【好適な他の実施例の説明】
任意の他形式が本発明の範囲には含まれてよいが、本発明の好適な形式について、好適な実施例であるカード読み取り配置を図解した添付の図１を参照し、例示だけを目的として説明する。
【００１３】
好適な実施例は、本出願人の出願であるＰＣＴ／ＡＵ０１／０１３１７（整理番号ＡＲＴ８０）、ＰＣＴ／ＡＵ０１／０１３２８（整理番号ＡＲＴ８１）及びＰＣＴ／ＡＵ０１／０１３２６（整理番号ＡＲＴ８２）に記載するように、適当な手持ち式装置のプログラミングを介し実施することが好ましい。これらの出願は、本出願人によってこれと同時に出願されており、引用によりその内容を具体的に援用する。これらの出願は、本出願人の先行出願である米国特許出願番号０９／１１３，０７０及び米国特許出願番号０９／１１２，７８５を引用している。
【００１４】
上述の特許明細書は、以降“アートカム”型カメラシステムとして知られるカメラシステムを含む装置を開示している。この装置では、印刷媒体にカラー画像と赤外線画像を同時に印刷する少なくとも４個の別のインクジェットノズルを有するインクジェット頁幅プリントヘッドを用い、感知画像を、カメラユニットにより直接にプリントアウト可能である。この型の頁幅プリントヘッドは、本出願人による同時係属出願、ＰＣＴ／ＡＵ００／００７４３、ＰＣＴ／ＡＵ００／００７４４、ＰＣＴ／ＡＵ００／００７４５、ＰＣＴ／ＡＵ００／００７４６、ＰＣＴ／ＡＵ００／００７４７及びＰＣＴ／ＡＵ００／００７４８に記載されたものであり、その説明を、引用によりここに具体的に援用する。
【００１５】
上述の引用特許明細書、すなわち、ＰＣＴ／ＡＵ０１／０１３１７（整理番号ＡＲＴ８０）、ＰＣＴ／ＡＵ０１／０１３２８（整理番号ＡＲＴ８１）及びＰＣＴ／ＡＵ０１／０１３２６（整理番号ＡＲＴ８２）において、フォールトトレラント符号化形式のデータが、カラー画像を覆って赤外線インクで印刷される。これら各明細書に記載されたデータは、それぞれ、画像自体のフォールト符号化ディジタル形式、画像を処理しある効果を生成せしめる画像処理プログラムスクリプトを伴う画像自体のフォールトトレラント符号化ディジタル形式、及び、画像自体のコピー及びカメラシステムに別に装着が可能なプログラムによりその変換が達成される画像の変換コピーの保存に関わっていた。
【００１６】
本願では、発明は、ディジタルデータを画像上に記録し、そのディジタルデータは、画像自身又はその任意の操作に関するものとは別である、という点にある。例えば、本出願人の先行技術である米国特許出願番号０９／１１３，０７０に記載されているように、本を含んでいるフォールトトレラント・ディジタル符号化形式を用いて印刷媒体の一面に印刷され、一方、印刷媒体の他面に画像、例えばこの場合本のカバーが記録されている、というカードであってよい。記載のカードは、およそ８５ｍｍ×５５ｍｍのクレジットカード・サイズであり、両面印刷であった。本発明において、カードは、一面のみに印刷され、データは赤外線インクで記録されており、したがって人が読んでも見えない、という必要がある。本出願人の同時係属出願であるＰＣＴ／ＡＵ０１／０１３１７（整理番号ＡＲＴ８０）、ＰＣＴ／ＡＵ０１／０１３２８（整理番号ＡＲＴ８１）及びＰＣＴ／ＡＵ０１／０１３２６（整理番号ＡＲＴ８２）に記載するように、およそ４”×６”（１０２ｍｍ×１５２ｍｍ）サイズのカードは、データがどのように符号化されるか、及びカード表面の端から端まで配分されるかに依存して、およそ３〜４メガバイトのデータを含有できる。これら出願におけるデータは、カード表面に最大３０％の損傷が生じていた場合であっても、そこで符号化されたデータ、すなわち画像が、完全に再生できるようなやり方で配分される。平均的な頁のテキストを保存するには、テキストだけでおよそ２キロバイトのディジタルデータが必要であり、従って３メガバイトのデータでは、およそ１５００頁の書込みテキストが記録される。平均的な本の頁数は２５０〜５５０の間であり、このような本は、本開示のフォーマットで容易に収容される。また、画像は、２、３例を挙げればｊｐｅｇ，ｇｉｆ，ｔｉｆｆ，ｂｍｐ等の適当なファイルフォーマットで、サムネイル（サイズ減少）画像として、テキストと共にちりばめてもよい。
【００１７】
好適な実施例では、上述の特許明細書ＰＣＴ／ＡＵ０１／０１３１７（整理番号ＡＲＴ８０）、ＰＣＴ／ＡＵ０１／０１３２８（整理番号ＡＲＴ８１）及びＰＣＴ／ＡＵ０１／０１３２６（整理番号ＡＲＴ８２）に開示する特定技術が適応される。この適応において、カメラシステムと印刷システムが取り除かれ、大型スクリーンリーダで置き換えられる。次に、カード上に情報のインジケータが記録されている、好適な実施例のカードが提供される。フォールトトレラント符号化形式の情報が、インジケータを覆って赤外線インクで印刷される。例えば、カードは、本の内容、新聞の内容を含むことができる。このようなシステムの例が、図１に示されており、カード１０は、カード上に本のタイトルを含み矢印１１で示す赤外線インク印刷のデータが有る。カード１０は、カードリーダ１２の折畳みを可能とするフレキシブルディスプレイ１３を含むリーダ１２に挿入される。カードリーダは、前後の頁送り及びカードリーダ１２の他の制御を可能にするディスプレイコントロール１４を含む。
【００１８】
従って、図１の構成により、本、新聞、雑誌、技術マニュアル等の形式で効率よく情報が配分されることが判る。
【００１９】
本開示によるカードの印刷には、様々なインクジェット技術を使用することができる。例えば、本出願人の同時係属出願ＰＣＴ／ＡＵ００／００７４３、ＰＣＴ／ＡＵ００／００７４４、ＰＣＴ／ＡＵ００／００７４５、ＰＣＰＣＴ／ＡＵ００／００７４６、ＰＣＴ／ＡＵ００／００７４７及びＰＣＴ／ＡＵ００／００７４８に開示のインクジェット頁幅プリントヘッドを使用してよい。適当な赤外線インクは、本出願人の同時係属出願である、２０００年８月１４日付け豪州仮特許出願ＰＱ９４１２及びＰＱ９３７６、本出願人の２０００年８月１８日付け出願ＰＱ９５０９、２０００年８月２１日付け出願ＰＱ９５７１及びＰＱ９５６１に開示されている。データは、本出願人による米国特許出願番号０９／１１３，０７０及び米国特許出願番号０９／１１２、７８５、あるいはＰＣＴ／ＡＵ０１／０１３１７（整理番号ＡＲＴ８０）、ＰＣＴ／ＡＵ０１／０１３２８（整理番号ＡＲＴ８１）及びＰＣＴ／ＡＵ０１／０１３２６（整理番号ＡＲＴ８２）に開示された、例えばアートカードフォーマット又はそれに代わるアートカードフォーマットの方式で、又はフォーマットを用いて、符号化してよい。他のフォーマットも使用してよい。
【００２０】
当業者には、大まかに説明した本発明の精神又は範囲から逸脱することなく、具体的実施例で示した本発明に対して数多くの変形及び／又は修正をなし得ることが理解されよう。従って、全ての点において、本発明は例示的であり、限定的ではないとみなされるべきである。
【図面の簡単な説明】
【図１】  好適な実施例によるカード読み取り配置を示す図である。
【符号の説明】
１０：カード、１１：赤外線インク印刷データ、１２：リーダ、１３：フレキシブルディスプレイ、１４：ディスプレイコントロール
【図１】
0003718197.tif 000003